(57)【要約】【課題】コイルばね内蔵の手動式スクリーン装置において、スクリーン生地を巻取りする際の不定期なうねり音を無くし、スクリーン生地の静かな巻取りを可能とするスクリーン装置を提供せんとする。【解決手段】スクリーン生地１１を巻取り又は繰出しすることで該スクリーン生地１１を昇降させる巻取りローラ１０とその回転支持軸６Ａとの間に、該巻取りローラ１０を下方に繰り出したスクリーン生地１１を巻き取る方向に弾性復元力で回転付勢するコイルばね２を介装した手動式のスクリーン装置であり、コイルばね２の一端側に、巻取りローラ内周面１０ｃに回転一体となるように回転方向に係合する連結部材３を、該巻取りローラ１０に対して軸方向に移動可能に設けた。【選択図】図４
2012098563.tif 000002
【特許請求の範囲】
【請求項１】
スクリーン生地を巻取り又は繰出しすることで該スクリーン生地を昇降させる巻取りローラとその回転支持軸との間に、該巻取りローラに対して下方に繰り出したスクリーン生地を巻き取る方向に弾性復元力で回転付勢するコイルばねを介装した手動式のスクリーン装置において、
前記コイルばねの一端側に、前記巻取りローラの内周面に回転一体となるように回転方向に係合する連結部材を、該巻取りローラに対して軸方向に移動可能に設けてなることを特徴とするスクリーン装置。
【発明の詳細な説明】
【技術分野】
【０００１】
本発明は、建築物の壁面や天井面に取付けられるスクリーン装置に関する。
【背景技術】
【０００２】
従来から、スクリーン生地を巻取り又は繰出しすることで該スクリーン生地を昇降させる巻取りローラとその回転支持軸との間に、該巻取りローラを下方に繰り出したスクリーン生地を巻き取る方向に弾性復元力で回転付勢するコイルばねを介装した手動式のスクリーン装置が提供されている（例えば、特許文献１参照。）。しかしながら、従来のコイルばね内蔵の手動式スクリーン装置は、スクリーン生地の巻取りの際、不定期なうねり音が出てしまうという問題があった。
【先行技術文献】
【特許文献】
【０００３】
【特許文献１】特開平０８−１５７７６号公報
【発明の概要】
【発明が解決しようとする課題】
【０００４】
そこで、本発明が前述の状況に鑑み、解決しようとするところは、コイルばね内蔵の手動式スクリーン装置において、スクリーン生地を巻取りする際の不定期なうねり音を無くし、スクリーン生地の静かな巻取りを可能とするスクリーン装置を提供する点にある。
【課題を解決するための手段】
【０００５】
本発明者は、前述の課題解決のために鋭意検討した結果、うねり音の原因がコイルばねの蛇行にあり、これを解消することでうねり音を無くすことができる点、並びにこの蛇行を無くすことができる構成を新たに見出し、本発明を完成したものである。
【０００６】
すなわち本発明は、コイルばねスクリーン生地を巻取り又は繰出しすることで該スクリーン生地を昇降させる巻取りローラとその回転支持軸との間に、該巻取りローラに対して下方に繰り出したスクリーン生地を巻き取る方向に弾性復元力で回転付勢するコイルばねを介装した手動式のスクリーン装置において、前記コイルばねの一端側に、前記巻取りローラの内周面に回転一体となるように回転方向に係合する連結部材を、該巻取りローラに対して軸方向に移動可能に設けてなることを特徴とするスクリーン装置を提供する。
【発明の効果】
【０００７】
本発明によれば、コイルばね一端側の巻取りローラへの連結部材を該巻取りローラに対して軸方向に移動可能に設けたので、スクリーン生地の巻取り／繰出し時にコイルばねが変形して全長が変化するその変化を逃がし、これによりコイルばねの蛇行が無くなることから、コイルばね、回転支持軸及び巻取りローラのスムーズな動作が可能となる。したがって、従来のうねり音が無くなり、スクリーン生地の静かな巻取りが可能となる。
【図面の簡単な説明】
【０００８】
【図１】本発明に係る手動式スクリーン装置の斜視図。
【図２】同じく手動式スクリーン装置の前面パネルを取り外した状態での要部正面図。
【図３】同じく手動式スクリーン装置の断面図。
【図４】（ａ）は巻取りローラの内部構造を示す説明図。
【発明を実施するための形態】
【０００９】
次に、本発明の実施形態を添付図面に基づき詳細に説明する。
【００１０】
図１は、本発明に係る手動式スクリーン装置の全体構成を示す斜視図であり、図１〜４は代表的実施形態を示し、図中符号１はスクリーン装置、２はコイルばね、１０は巻取りローラ、１１はスクリーン生地、１２は収納ケースをそれぞれ示している。
【００１１】
スクリーン装置１は、図１〜３に示すように、巻取りローラ１０に対して、スクリーン生地１１を巻取り又は繰出しすることで該スクリーン生地１１を昇降させる手動式のものである。本実施形態では、建築物の壁面上部や天井などに取付けられる収納ケース１２に巻取りローラ１０が収納されている。巻取りローラ１０とその回転支持軸６Ａとの間には、図４に示すように、該巻取りローラ１０を下方に繰り出したスクリーン生地を巻き取る方向に弾性復元力で回転付勢するためのコイルばね２が介装されている。
【００１２】
収納ケース１２は、ステンレス等の金属板よりなり、図３に示すように上面板１３ａと後面板１３ｂとを有する倒立略Ｌ字状のフレーム部材１３と、フレーム部材１３の上面板１３ａの前端部に着脱可能に支持されて収納ケース１２の前面を覆う前面パネル１４と、前面パネル１４に着脱可能に取付けられて収納ケースの下面を閉鎖する略Ｌ字状の下面板１４ａと、フレーム部材１３の左右端部に固定した側面板１５とより構成されている。符号１６は収納ケース１２を建築物の壁面や天井面に取付けるための設置金具であり、ケース左右にそれぞれ設置金具１６、１６がビス等で固定される。
【００１３】
巻取りローラ１０は、アルミニウム押出材等の金属製であり、図４に示すように、その一端部１０Ａには、中心側に配される回転支持軸６Ａに対して該巻取りローラ１０を回転可能に支持する軸受け部材５Ａが設けられ、他端部１０Ｂにも、同じく中心側に配される回転支持軸６Ｂに対して巻取りローラ１０を回転可能に支持する軸受け部材５Ｂが設けられている。回転支持軸６Ａ，６Ｂは、いずれも巻取りローラ端部から外側に延出してそれぞれ支軸７Ａ、７Ｂとして機能している。
【００１４】
軸受け部材５Ａは、図示しないボールストップスプリング機構が内蔵されており、巻取りローラ１０から繰り出したスクリーン生地１１を適宜な位置で維持できる。また、軸受け部材５Ｂは、ロータリーダンパーよりなるブレーキ装置８が付設されており、スクリーン生地１１を巻き取る上昇時にのみ巻取りローラ１０の回転にブレーキがかかる構造とし、これにより繰出し時には軽く操作でき、且つ巻取り時にはコイルばね２の付勢力により勢い良くスクリーン生地１１が上昇してしまうことを防止し、より静かな巻取りを可能としている。
【００１５】
回転支持軸６Ａの巻取りローラ内側には、コイルばね２が装着されるとともにその連結部材３を回転可能且つ軸方向に移動可能に軸支する軸体４が延設されており、コイルばね２の一端側は、軸体４上の連結部材３を介して巻取りローラ１０の内周面１０ｃに連結されることで該巻取りローラ１０と回転一体に構成されている。
【００１６】
連結部材３は、コイルばね２の一端側に挿入されてコイルばね２を同軸の位置に安定保持する小径筒状の保持部３１と、巻取りローラ内周面１０ｃに軸方向にスライド移動可能に且つ回転不能に係合する大径筒状の連結部３０とより構成されている。具体的には、巻取りローラ内周面１０ｃに軸方向にわたって突条１０ｄが形成され、連結部３０の外周面に前記突条１０ｄが係合する凹溝３０ａが軸方向に形成されている。コイルばね２の一端部２１は、この連結部３０に回転一体に掛止されている。
【００１７】
また、コイルばね２の他端部２０は、回転支持軸６Ａ又は軸体４に回転一体に掛止されている。そして、スクリーン生地１１の繰出し時に、巻取りローラ１０を介してコイルばね２を回転させて弾性復元力を増大させ、スクリーン生地１１の巻取り時には、コイルばね２の弾性復元力により巻取りローラ１０を巻取り方向に回転付勢させ、スクリーン生地１１が自動的に上昇して巻取りローラ１０に巻き取られる。
【００１８】
巻取りローラ１０は、図２に示すように、両端から延びる支軸７Ａ、７Ｂに保持金具７０Ａ、７０Ｂを取り付け、該支軸７Ａ、７Ｂを収納ケース１２の左右の側部１７Ａ，１７Ｂの取付け溝１８Ａ、１８Ｂに前側から装填して仮支持させた状態で、保持金具７０Ａ、７０Ｂを側部１７Ａ，１７Ｂに取付ネジ１９Ａ、１９Ｂで前側から固定して組み付けられる。
【００１９】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００２０】
１  スクリーン装置
２  コイルばね
３  連結部材
４  軸体
５Ａ、５Ｂ  軸受け部材
６Ａ，６Ｂ  回転支持軸
７Ａ、７Ｂ  支軸
８  ブレーキ装置
１０  巻取りローラ
１０Ａ、１０Ｂ  端部
１０ｃ  内周面
１０ｄ  突条
１１  スクリーン生地
１２  収納ケース
１３  フレーム部材
１３ａ  上面板
１３ｂ  後面板
１４  前面パネル
１４ａ  下面板
１５  側面板
１６  設置金具
１７Ａ，１７Ｂ  側部
１８Ａ、１８Ｂ  取付け溝
１９Ａ、１９Ｂ  取付ネジ
２０、２１  端部
３０  連結部
３０ａ  凹溝
３１  保持部
７０Ａ、７０Ｂ  保持金具
【図１】
2012098563.tif 000003
【図２】
2012098563.tif 000004
【図３】
2012098563.tif 000005
【図４】
2012098563.tif 000006